(57)【要約】  【目的】  比較的簡単に無線ＬＡＮ情報をディジタル・スチル・カメラに設定する。  【構成】  ディジタル・スチル・カメラとプリンタとを無線ＬＡＮを利用して通信する場合において，ESS-ID，WEPキーなどの無線ＬＡＮ設定情報，ＩＰアドレスなどのプリンタ設定情報などを格納する二次元バーコードをプリンタにおいて生成する。生成された二次元バーコードの画像91ならびに無線ＬＡＮ設定情報およびプリンタ設定情報が記録されたダイレクト・プリント設定シート90を，プリンタを用いてプリントする。ディジタル・スチル・カメラを用いて二次元バーコード91を撮影し，二次元バーコード91の画像から無線ＬＡＮ設定情報，プリンタ設定情報を読み取る。読み取られた無線ＬＡＮ設定情報，プリンタ設定情報がディジタル・スチル・カメラに設定され，プリンタとの間で無線ＬＡＮを用いたダイレクト・プリントが行われる。  【選択図】  図６
2006001063.tif 000002
【特許請求の範囲】
【請求項１】
無線ＬＡＮを利用した通信が互いに可能なディジタル・カメラとプリンタとを含むダイレクト・プリント・システムにおいて，
上記プリンタが，
無線ＬＡＮを利用した送信に用いられる設定情報および送信先情報を含む無線ＬＡＮ情報を取得する無線ＬＡＮ情報取得手段，
上記無線ＬＡＮ情報取得手段によって取得された無線ＬＡＮ情報を表すバーコードを生成するバーコード生成手段，ならびに
上記バーコード生成手段によって生成されたバーコードを出力する出力装置を備え，
上記ディジタル・カメラが，
上記プリンタの上記出力装置によって出力されたバーコードを撮像し，バーコードを表すデータを出力する撮像手段，
上記撮像手段から出力されたバーコード・データから無線ＬＡＮ情報を読み取る無線ＬＡＮ情報読み取り手段，および
記録媒体に記録されている画像データを，上記無線ＬＡＮ情報読み取り手段によって読み取られた無線ＬＡＮ情報に含まれる設定情報および送信先情報を用いて上記プリンタに送信する無線ＬＡＮ送信装置，
を備えたダイレクト・プリント・システム。
【請求項２】
上記無線ＬＡＮ情報取得手段が，
上記設定情報を生成する設定情報生成手段，および
上記送信先情報を生成する送信先情報生成手段，
を備えている請求項１に記載のダイレクト・プリント・システム。
【請求項３】
上記無線ＬＡＮ情報取得手段が，
上記設定情報を記憶する設定情報メモリ，
上記送信先情報を生成するサーバに送信先情報の送信を要求する送信先情報要求手段，および
上記送信先情報要求手段による要求に応じて，上記サーバから送信される送信先情報を受信する送信先情報受信手段，
を備えた請求項１に記載のダイレクト・プリント・システム。
【請求項４】
上記プリンタの出力装置が，
上記バーコードのほかに上記設定情報および上記送信先情報の少なくとも一方を出力するものである，
請求項１に記載のダイレクト・プリント・システム。
【請求項５】
無線ＬＡＮを利用した送信に用いられる設定情報および送信先情報を含む無線ＬＡＮ情報を取得する無線ＬＡＮ情報取得手段，
上記無線ＬＡＮ情報取得手段によって取得された無線ＬＡＮ情報を表すバーコードを生成するバーコード生成手段，および
上記バーコード生成手段によって生成されたバーコードを出力する出力装置，
を備えたプリンタ。
【請求項６】
無線ＬＡＮを利用した送信に用いられる設定情報および送信先情報を含む無線ＬＡＮ情報を表すバーコードを撮像し，バーコードを表すデータを出力する撮像手段，
上記撮像手段から出力されたバーコード・データから無線ＬＡＮ情報を読み取る無線ＬＡＮ情報読み取り手段，ならびに
記録媒体に記録されている画像データを，上記無線ＬＡＮ情報読み取り手段によって読み取られた無線ＬＡＮ情報に含まれる設定情報および送信先情報を用いてプリンタに送信する無線ＬＡＮ送信装置，
を備えたディジタル・カメラ。
【請求項７】
無線ＬＡＮを利用した送信に用いられる設定情報および送信先情報を含む無線ＬＡＮ情報を取得し，
取得した無線ＬＡＮ情報を表すバーコードを生成し，
生成したバーコードを出力する，
プリンタの制御方法。
【請求項８】
無線ＬＡＮを利用した送信に用いられる設定情報および送信先情報を含む無線ＬＡＮ情報を表すバーコードを撮像し，バーコードを表すデータを得，
得られたバーコード・データから無線ＬＡＮ情報を読み取り，
記録媒体に記録されている画像データを，読み取られた無線ＬＡＮ情報に含まれる設定情報および送信先情報を用いて，プリンタに無線ＬＡＮを利用して送信する，
ディジタル・カメラの制御方法。
【発明の詳細な説明】
【技術分野】
【０００１】
この発明は，ダイレクト・プリント・システムならびにそのシステムを構成するプリンタおよびディジタル・カメラ（カメラ付き携帯電話など携帯型情報機器にディジタル・カメラの機能を持たせたものを含む）ならびにそれらの制御方法に関する。
【背景技術】
【０００２】
画像をプリントする場合には，パーソナル・コンピュータにプリンタを接続し，パーソナル・コンピュータからプリンタに画像データが送信される。画像データによって表される画像がプリンタによってプリントされる。画像をプリントする場合には，パーソナル・コンピュータとプリンタとが接続されることが一般的である。このために，ディジタル・スチル・カメラによって撮像された画像をプリントする場合には，その画像を表す画像データが一度，パーソナル・コンピュータに格納される。
【０００３】
ところが，近年，パーソナル・コンピュータを用いずにディジタル・スチル・カメラとプリンタとをケーブルなどにより直接接続し，ディジタル・スチル・カメラからプリンタに送信することにより，ディジタル・スチル・カメラによって撮像された画像をプリンタでプリントできるようになってきた。このようなシステムは，いわゆるダイレクト・プリント・システムと呼ばれている。このダイレクト・プリント・システムは，ディジタル・スチル・カメラとパーソナル・コンピュータとをケーブルを用いて有線通信により画像データを送信するもののみならず，無線通信により画像データを送信するものもある（特許文献１〜５）。
【特許文献１】特開平10−257119号公報
【特許文献２】特開平10−165253号公報
【特許文献３】特開平11−88815号公報
【特許文献４】特開平11−46331号公報
【特許文献５】特開2002−111947号公報
【０００４】
しかしながら，無線通信を利用してダイレクト・プリント・システムを構成するにはWEP-KEYなどの情報を設定しなければ，暗号化通信ができない。また，ネットワーク上にプリンタが接続され，そのネットワーク上に多数の機器が接続されている場合には，送信先を特定しなければ特定のプリンタに画像データを送信できない。
【発明の開示】
【０００５】
この発明は，ダイレクト・プリント・システムを利用する場合に，無線ＬＡＮ情報を利用して比較的簡単にプリントできるようにすることを目的とする。
【０００６】
第１の発明は，無線ＬＡＮを利用した通信が互いに可能なディジタル・カメラとプリンタとを含むダイレクト・プリント・システムについてのものである。
【０００７】
上記プリンタは，無線ＬＡＮを利用した送信に用いられる設定情報および送信先情報を含む無線ＬＡＮ情報を取得する無線ＬＡＮ情報取得手段，上記無線ＬＡＮ情報取得手段によって取得された無線ＬＡＮ情報を表すバーコードを生成するバーコード生成手段，ならびに上記バーコード生成手段によって生成されたバーコードを出力する出力装置を備えている。
【０００８】
上記ディジタル・カメラは，上記プリンタの上記出力装置によって出力されたバーコードを撮像し，バーコードを表すデータを出力する撮像手段，上記撮像手段から出力されたバーコード・データから無線ＬＡＮ情報を読み取る無線ＬＡＮ情報読み取り手段，および記録媒体に記録されている画像データを，上記無線ＬＡＮ情報読み取り手段によって読み取られた無線ＬＡＮ情報に含まれる設定情報および送信先情報を用いて上記プリンタに送信する無線ＬＡＮ送信装置を備えている。
【０００９】
この発明によると，上記プリンタにおいて，無線ＡＮを利用した送信に用いられる無線ＬＡＮ情報（設定情報および送信先情報を含む）が取得される。すると，取得された無線ＬＡＮ情報を表すバーコードが生成され，生成されたバーコードが出力される（プリントされてもよいし，表示されてもよい）。
【００１０】
出力されたバーコードがディジタル・カメラによって撮像され，バーコードを表すデータが得られる。得られたバーコード・データから無線ＬＡＮ情報が読み取られる。すると，ディジタル・カメラの記録媒体に記録されている画像データが，読み取られた無線ＬＡＮ情報に含まれる設定情報および送信先情報を用いて上記プリンタに送信される。
【００１１】
ダイレクト・プリント・システムにおいて，比較的簡単に無線ＬＡＮ情報を利用してプリントできるようになる。
【００１２】
上記無線ＬＡＮ情報取得手段は，たとえば，上記設定情報を生成する設定情報生成手段，および上記送信先情報を生成する送信先情報生成手段を備えている。
【００１３】
また，上記無線ＬＡＮ情報取得手段は，上記設定情報を記憶する設定情報メモリ，上記送信先情報を生成するサーバに送信先情報の送信を要求する送信先情報要求手段，および上記送信先情報要求手段による要求に応じて，上記サーバから送信される送信先情報を受信する送信先情報受信手段を備えるものでもよい。
【００１４】
上記プリンタの出力装置は，上記バーコードのほかに上記設定情報および上記送信先情報の少なくとも一方を出力するものでもよい。
【００１５】
上記プリンタが，上記プリンタの上記無線ＬＡＮ情報取得手段によって取得された無線ＬＡＮ情報に含まれる送信先情報を記憶する送信先情報記憶手段，上記無線ＬＡＮ情報取得手段によって取得した無線ＬＡＮ情報に含まれる送信先情報が上記送信先情報記憶手段に記憶されている送信先情報と異なるかどうかを判定する判定手段，上記判定手段により，異なると判定されたことにより上記バーコードを印刷するように上記バーコード生成手段および上記印刷装置を制御する制御手段，ならびに上記印刷装置によりバーコードが印刷されたことに応じて，上記送信先情報メモリに記憶されている送信先情報を更新する更新手段を備えるようにしてもよい。
【００１６】
第２の発明は，上記ダイレクト・プリント・システムを構成するプリンタについてのものである。第２の発明によるプリンタは，無線ＬＡＮを利用した送信に用いられる設定情報および送信先情報を含む無線ＬＡＮ情報を取得する無線ＬＡＮ情報取得手段，上記無線ＬＡＮ情報取得手段によって取得された無線ＬＡＮ情報を表すバーコードを生成するバーコード生成手段，および上記バーコード生成手段によって生成されたバーコードを出力する出力装置を備えている。
【００１７】
第２の発明は，上記プリンタの制御方法も提供している。すなわち，この方法は，無線ＬＡＮを利用した送信に用いられる設定情報および送信先情報を含む無線ＬＡＮ情報を取得し，取得した無線ＬＡＮ情報を表すバーコードを生成し，生成したバーコードを出力するものである。
【００１８】
第３の発明は，上記ダイレクト・プリント・システムを構成するディジタル・カメラについてのものである。第３の発明によるディジタル・カメラは，無線ＬＡＮを利用した送信に用いられる設定情報および送信先情報を含む無線ＬＡＮ情報を表すバーコードを撮像し，バーコードを表すデータを出力する撮像手段，上記撮像手段から出力されたバーコード・データから無線ＬＡＮ情報を読み取る無線ＬＡＮ情報読み取り手段，ならびに記録媒体に記録されている画像データを，上記無線ＬＡＮ情報読み取り手段によって読み取られた無線ＬＡＮ情報に含まれる設定情報および送信先情報を用いてプリンタに送信する無線ＬＡＮ送信装置を備えている。
【００１９】
第３の発明は，上記ディジタル・カメラに適した制御方法を提供している。すなわち，この方法は，無線ＬＡＮを利用した送信に用いられる設定情報および送信先情報を含む無線ＬＡＮ情報を表すバーコードを撮像し，バーコードを表すデータを得，得られたバーコード・データから無線ＬＡＮ情報を読み取り，記録媒体に記録されている画像データを，読み取られた無線ＬＡＮ情報に含まれる設定情報および送信先情報を用いて，プリンタに無線ＬＡＮを利用して送信するものである。
【実施例】
【００２０】
図１は，この発明の実施例を示すものでホーム・ネットワークを利用したダイレクト・プリント・システムを示している。
【００２１】
ホーム・ネットワークにはアクセス・ポイント装置174が接続されており，このアクセス・ポイント装置174を介してディジタル・スチル・カメラ１とプリンタ50と（ダイレクト・プリント・システム）が互いに無線通信可能とされている（インフラストラクチャ・モード）。
【００２２】
ホーム・ネットワークには，アクセス・ポイント装置174のほかにＤＨＣＰ（dynamic host configuration protocol）サーバ（サーバ）170，ホーム・サーバ171，有線プリンタ（ダイレクト・プリント・システムを構成するプリンタ50と区別するために有線プリンタと呼ぶ）172およびパーソナル・コンピュータ173が接続されている。
【００２３】
ディジタル・スチル・カメラ１の上面には，左側にモード選択ダイアル２とシャッタ・レリーズ・ボタン３とが設けられている。また，上面の右側には無線通信用アンテナ４が設けられている。
【００２４】
ディジタル・スチル・カメラ１の正面には，ほぼ中央の位置に撮像レンズ６が設けられている。右上隅にはストロボ発光装置５が設けられている。
【００２５】
プリンタ50の上面には，右奥に無線通信用アンテナ51が立設している。右手前にはプリント用紙の紙詰まり等に対処するための着脱自在のカバー52が設けられている。さらにプリンタ50の上面の左側にはモード選択スライド・スイッチ53および各種スイッチ群54が設けられている。各種スイッチ群54には，シート印刷ボタン（後述するようにダイレクト・プリント設定シートをプリントする場合に押されるボタン），無線ＬＡＮ情報を入力するためのボタン，電源ボタンなどが含まれている。
【００２６】
プリンタ50の正面には，左上隅に電源ランプ58が設けられている。電源ランプ58の下側にカード・スロット59が形成されている。カード・スロット59にはメモリ・カード60が着脱自在に装着可能である。プリンタ50の正面の右側には，プリント用紙排出口61が形成されている。プリント用紙排出口61からプリンタ50の前面に突出する位置に，プリント用紙排出口61から排出されるプリント用紙を受止める受け部材62が設けられている。
【００２７】
この実施例によるダイレクト・プリント・システムにおいては，プリンタ50によって，無線通信に必要な無線ＬＡＮ（local area network）情報を表す二次元バーコードが記録されているダイレクト・プリント設定シート（図６参照）がプリントされる。ディジタル・スチル・カメラ１によって，ダイレクト・プリント設定シートに記録されている二次元バーコードが撮影され，その二次元バーコードが解析される。無線ＬＡＮ情報がディジタル・スチル・カメラ１に設定されるようになる。無線ＬＡＮ情報を用いてアクセス・ポイント装置174を介してディジタル・スチル・カメラ１とプリンタ50とが無線通信できるようになる。
【００２８】
図２(A) は，ディジタル・スチル・カメラ１の背面側を示している。図２(B)はモード選択ダイアル２の拡大平面図である。
【００２９】
図２(A)を参照して，ディジタル・スチル・カメラ１の背面には，その中央部分に表示画面７が形成されている。表示画面７には，撮像レンズ６によって結像した画像，ディジタル・スチル・カメラ１に装着されたメモリ・カードから読出された画像データによって表される画像，ディジタル・スチル・カメラ１の各種設定のための画像等が表示される。また，ディジタル・スチル・カメラ１の背面の左上には，マクロ撮影の切替ボタン13が設けられている。
【００３０】
表示画面７の上側に電源スイッチ12が設けられている。表示画面７の右側には，表示画面７に表示させるべき駒の選択，各種設定等に利用され，上下左右に矢印が押下可能に形成されている上下左右キー８，メニュー・ボタン９，実行ボタン10および取消ボタン11が設けられている。
【００３１】
図２(B)を参照して，モード選択ダイアル２は，回転可能にディジタル・スチル・カメラ１に設けられている。
【００３２】
モード選択ダイアル２の左側には，指標２Ａが形成されている。モード選択ダイアル２上には，Setupの文字２ａ，Printの文字２ｂ，ＰＣの文字２ｃ，Movの文字２ｄ，Camの文字２ｅ，およびPlayの文字２ｆが周方向に所定間隔ずつ空けられて形成されている。
【００３３】
セットアップ・モードが設定される場合には，Setupの文字２ａが指標２Ａに位置決めされる。プリント・モードが設定される場合には，Printの文字２ｂが指標２Ａに位置決めされる。ＰＣモードが設定される場合には，ＰＣの文字２ｃが指標２Ａに位置決めされる。ムービ・モードが設定される場合には，Movの文字２ｄが指標２Ａに位置決めされる。カメラ・モードが設定される場合には，Camの文字２ｅが指標２Ａに位置決めされる。再生モードが設定される場合には，Playの文字２ｆが指標２Ａに位置決めされる。
【００３４】
初期設定等を行う場合にセットアップ・モードが，ダイレクト・プリントを行う場合にプリント・モードが，パーソナル・コンピュータとの間でデータの送受信を行う場合にＰＣモードが，ムービ撮影を行う場合にムービ・モードが，静止画撮影を行う場合にカメラ・モードが，動画または静止画を再生する場合に再生モードが，それぞれユーザによって選択される。
【００３５】
図３は，ディジタル・スチル・カメラ１の電気的構成を示すブロック図である。
【００３６】
ディジタル・スチル・カメラ１の全体の動作はＣＰＵ33によって統括される。ディジタル・スチル・カメラ１に含まれているＣＰＵ33，他の種々の回路および装置にはバッテリ41から電源が供給される。
【００３７】
ディジタル・スチル・カメラ１には，システム・メモリ34および不揮発性メモリ35が含まれている。システム・メモリ34に，ディジタル・スチル・カメラ１の動作制御のためのプログラムおよびデータ等が記憶されている。また，撮像により得られた被写体像を表す画像データも一時的に記憶される。
【００３８】
タイマ36はセルフ・タイマ撮影のときの経過時間の計測に用いられる。カレンダおよび時計37によって日時が計測される。
【００３９】
上述したモード選択ダイアル２，シャッタ・レリーズ・ボタン３，上下左右キー８，メニュー・ボタン９，実行ボタン10，取消ボタン11等（図２において符号39で示す）からの出力信号は，Ｉ／Ｏ（Input/Output）ユニット38を介してＣＰＵ33に入力する。ディジタル・スチル・カメラ１に発光ダイオードが設けられている場合には，Ｉ／Ｏユニット38を介して発光素子に発光信号が出力される。
【００４０】
ストロボ発光装置５は，ストロボ制御装置24によってその発光が制御される。
【００４１】
ディジタル・スチル・カメラ１には，撮像ユニット20が含まれている。この撮像ユニット20には，上述したように撮像レンズ６が設けられている。この撮像レンズ６は，レンズ制御回路40によって合焦位置に位置決めされる。撮像ユニット20には，被写体を撮像し，被写体像を表すアナログ映像信号を出力するＣＣＤが含まれている。モード選択ダイアル２によってカメラ・モードが選択されると，撮像ユニット20に含まれるＣＣＤによって被写体が撮像される。被写体像を表す映像信号がアナログ信号処理回路21に与えられる。アナログ信号処理回路21において，相関二重サンプリングなどの所定のアナログ信号処理が行われる。アナログ信号処理回路21から出力されたアナログ映像信号は，アナログ／ディジタル信号処理回路22に入力する。アナログ／ディジタル変換回路23においてアナログ映像信号がディジタル画像データに変換される。ディジタル画像データは，ディジタル信号処理回路23において，ガンマ補正，白バランス調整などの所定のディジタル信号処理が行われる。
【００４２】
ディジタル信号処理回路23から出力されたディジタル画像データは，フレーム・メモリ29を介してＬＣＤ（液晶表示装置）制御回路31に入力し，ＬＣＤ制御回路31においてＬＣＤ表示に適したデータに変換等される。ＬＣＤ制御回路31からの出力データが液晶表示装置32に与えられる。表示画面７に画像が表示される。
【００４３】
ＬＣＤ制御回路31にはＯＳＤ（On Screen Device）30からオン・スクリーン信号も入力する。撮像された画像上に，オン・スクリーン信号によって表される日時を表す文字，キャラクタを表す画像等を重畳させて，液晶表示装置32（表示画面７）上に表示することができる。
【００４４】
モード選択ダイアル２によってカメラ・モードが選択されているときにシャッタ・レリーズ・ボタン３が押されると，上述のようにして得られたディジタル画像データは，システム・メモリ34に一時的に記憶される。画像データはシステム・メモリ34から読出され，圧縮／伸張回路25において圧縮される。圧縮された画像データがカード・インターフェイス42を介してメモリ・カード・スロット43に装着されているメモリ・カード44に記録される。
【００４５】
再生モードが選択されると，メモリ・カード44に記録されている画像データが読出され，カード・インターフェイス42を介して圧縮／伸張回路25に与えられる。圧縮／伸張回路25において伸張処理が行われ，伸張された画像データがフレーム・メモリ29を介してＬＣＤ制御回路31に入力する。メモリ・カード44に記録されている画像データによって表される画像が，液晶表示装置32（表示画面７）に表示される。
【００４６】
上述のように，ディジタル・スチル・カメラ１は，無線通信のためのアンテナ４を備えている。アンテナ４に無線ＬＡＮインターフェイス26が接続されている。アンテナ４を介して，ディジタル・スチル・カメラ１とアクセス・ポイント装置174との間において，後述する無線ＬＡＮ情報を用いて無線ＬＡＮを利用した画像データの送受信が行われる。
【００４７】
また，ディジタル・スチル・カメラ１には，パーソナル・コンピュータなどとUSB（Universal Serial Bus）ケーブルを用いて通信するためのUSBコネクタ28およびUSBファンクション・ドライバ27が設けられている。
【００４８】
プリント・モードが設定されると，詳しくは後述するように，プリンタ50によってプリントされたダイレクト・プリント設定シートに記録されている二次元バーコードを撮像する旨が表示される。この表示にしたがって，二次元バーコードが撮像される。二次元バーコードには無線ＬＡＮ情報が格納されており，二次元バーコードを撮像することにより得られるデータから無線ＬＡＮ情報が検出される。検出された無線ＬＡＮ情報がディジタル・スチル・カメラ１に設定され，無線通信ができるようになる。プリントすべき画像を表す画像データがメモリ・カード43から読み取られ，ディジタル・スチル・カメラ１からプリンタ50に，アクセス・ポイント装置174を介して送信される。
【００４９】
図４はプリンタ50のモード選択スライド・スイッチ53の拡大平面図を示している。
【００５０】
モード選択スライド・スイッチ53の右側（図１では奥側）には，Cardの文字53ａ，Wireless PCの文字53ｂ，Wireless Camの文字53ｃ，USB PCの文字53ｄ，およびUSB Camの文字53ｅが形成されている。モード選択スライド・スイッチ53はスライド可能であり，カード・モードが設定される場合には，スイッチ53がCardの文字53ａに位置決めされる。無線ＰＣ通信モードが設定される場合には，スイッチ53がWireless PCの文字53ｂに位置決めされる。無線カメラ通信モードに設定される場合には，スイッチ53がWireless Camの文字53ｃに位置決めされる。USB PC通信モードが設定される場合には，スイッチ53がUSB PCの文字53ｄに位置決めされる。USBカメラ通信モードが設定される場合には，スイッチ53がUSB Camの文字53ｅに位置決めされる。
【００５１】
カード・スロット59に装着されたメモリ・カード60に記録されている画像データが表す画像をプリントする場合にカード・モードが選択される。アンテナ51を介してパーソナル・コンピュータ（図示略）との間で無線によりデータを送受信し，パーソナル・コンピュータから送信される画像データが表す画像をプリントする場合に無線ＰＣ通信モードが選択される。アンテナ51を介してディジタル・スチル・カメラ１との間で無線によりデータを送受信し，ディジタル・スチル・カメラ１から送信される画像データが表す画像をプリントする場合（ダイレクト・プリントを行う場合）に無線カメラ通信モードが選択される。USB PC通信モードおよびUSBカメラ通信モードは，USBケーブルを用いてパーソナル・コンピュータなどとの間でデータの送受信をし，パーソナル・コンピュータなどから送信される画像データが表す画像をプリントする場合に選択される。
【００５２】
図５はプリンタ50の電気的構成を示すブロック図を示している。
【００５３】
プリンタ50はＣＰＵ70を含む。ＣＰＵ70によってプリンタ50の全体の動作が統括される。
【００５４】
プリンタ50には，不揮発性メモリ71が含まれている。不揮発性メモリ71には，無線ＬＡＮ情報，画像データ，プリンタ機種名などのプリンタ情報，データなどが記憶される。システム・メモリ72には，プリンタ50の動作を制御するプログラムおよびデータ等が記憶されている。
【００５５】
プリント・エンジン73は，プロファイル設定その他処理を行うためのものである。プリント・エンジン73は印画ユニット74に接続されており，プリント・エンジン73から出力される画像データが印画ユニット74に与えられると印画ユニット74はプリント用紙に画像（文字等を含む）を印画する。画像が印画されたプリント用紙が排出口62からプリンタ50の外部に排出される。
【００５６】
上述したモード選択スライド・スイッチ53およびスイッチ群54（これらをまとめて操作スイッチ群79という）からの出力信号は，Ｉ／Ｏユニット77を介してＣＰＵ70に入力する。操作スイッチ群79から，無線ＬＡＮ情報が入力され，上述したように不揮発性メモリ71に記憶される。電源ランプ58を含む表示器群78にはＩ／Ｏユニット77を介して表示信号が与えられる。
【００５７】
モード選択スライド・スイッチ53によってカード・モードが選択されると，カード・スロット59に装着されたメモリ・カード60に記録されている画像データによって表される画像がプリントされる。カード・スロット76においてメモリ・カード60から読出された画像データは，カード・インターフェイス75を介してフレーム・メモリ83に一時的に記憶される。フレーム・メモリ83から読み出された画像データはプリント・エンジン73に入力する。画像データはプリント・エンジン73から印画ユニット74に入力し，印画ユニット74によってプリント用紙への印画が行われる。
【００５８】
フレーム・メモリ83に記憶された画像データは，表示コントローラ84を介してプリンタ50に接続されている外部モニタ85に与えることができる。表示モニタ85に画像データによって表される画像が表示される。
【００５９】
上述のように，プリンタ50は，ディジタル・スチル・カメラ１と通信するためのアンテナ51を備え，アンテナ51に無線ＬＡＮインターフェイス82が接続されている。アンテナ51を介してプリンタ50とディジタル・スチル・カメラ１との間のデータの送受信が行われる。また，プリンタ50はUSBインターフェイス80と，USBインターフェイス80に接続されたコネクタ81を含む。
【００６０】
モード選択スライド・スイッチ53によって無線カメラ・モードが選択されると，アクセス・ポイント装置174を介してディジタル・スチル・カメラ１から送信された画像データがアンテナ51によって受信される。受信した画像データは，無線ＬＡＮインターフェイス82を介して不揮発性メモリ71に一時的に記憶される。不揮発性メモリ71から画像データが読み出され，プリント・エンジン73に与えられることにより，受信した画像データによって表される画像がプリントされる。
【００６１】
図６は，プリンタ50によってプリントされるダイレクト・プリント設定シートの一例である。もっともダイレクト・プリント設定シートはプリントされずにプリンタ50に表示されるようにしてもよい。その場合には，プリンタ50に設けられている表示装置またはプリンタ50に接続される外部モニタ85に表示されるようにしてもよい。
【００６２】
ダイレクト・プリント設定シート90には，その設定シート90により設定できるプリンタ50の名称（Ultra Printer 100），ダイレクト・プリント設定シートであることを示す表示のほかに無線ＬＡＮ設定情報およびプリンタ設定情報が記録されている。
【００６３】
無線ＬＡＮ設定情報は，無線通信をするのに必要な情報であり，ESS（Extended Service）-ID，WEP（Wired Equivavalent Privacy）キー（ESS-IDおよびWEPキーが無線ＬＡＮを利用した送信に用いられる設定情報である）および無線ＬＡＮモード（インフラストラクチャ・モード）がある。プリンタ設定情報は，プリンタ50と通信するのに必要な情報であり，ＩＰ（Internet Protocol）アドレス（送信先情報），ユーザ名およびパスワードがある。ユーザ名およびパスワードはプリンタ50を使用する権限があるかどうかの認証に利用される。
【００６４】
また，ダイレクト・プリント設定シート90には，二次元バーコード91およびディジタル・スチル・カメラ１に無線設定情報を設定する場合には，二次元バーコード91を撮影する旨の指示も記載されている。
【００６５】
図７は，ダイレクト・プリント設定シート90に記録されている二次元バーコード91に格納されている無線ＬＡＮ情報の内容を示している。
【００６６】
二次元バーコード91には，ダイレクト・プリント・設定シート90に記録されている内容がコード化されて格納されている。すなわち，二次元バーコード91には，無線ＬＡＮ設定情報およびプリンタ設定情報が格納されている。ダイレクト・プリント設定シート90に表示されるプリンタ50の名称（Ultra Printer 100）は無線ＬＡＮ設定情報に格納されている。
【００６７】
図８は，インフラストラクチャ・モードにおいてプリンタ50からダイレクト・プリント設定シートをプリントする処理手順を示すフローチャートである。インフラストラクチャ・モードはスイッチ群54によってあらかじめプリンタ50に設定されている。
【００６８】
インフラストラクチャ・モードにおいては，ESS-IDおよびWEPキーはスイッチ群54を用いて入力され，不揮発性メモリ71に記憶されている。また，インフラストラクチャ・モードでは，プリンタ50のＩＰアドレスはＤＨＣＰサーバ170において割り当てられる。
【００６９】
プリンタ50の電源がオンとされると，プリンタ50のタイマ（図示略）が計時を開始する。また，不揮発性メモリ71に記憶されているESS-IDおよびWEPキーが読み取られる（ステップ101，102）。
【００７０】
つづいて，ＩＰアドレスを取得を含むネットワーク設定を要求するために，プリンタ50からＤＨＣＰサーバ170にＤＨＣＰ Discoverが送信される（ステップ103）。
【００７１】
プリンタ50から送信されたＤＨＣＰ DiscoverがＤＨＣＰサーバ170において受信されると（ステップ121），使用してよいＩＰアドレスを含むネットワーク設定を示すＤＨＣＰ  OfferがＤＨＣＰサーバ170からプリンタ50に送信される（ステップ122）。
【００７２】
ＤＨＣＰサーバ170から送信されたＤＨＣＰ Offerがディジタル・スチル・カメラ１において受信されると（ステップ104），通知されたネットワーク設定を使用した旨を含むＤＨＣＰ Requestがプリンタ50からＤＨＣＰサーバ170に送信される（ステップ105）。
【００７３】
プリンタ50から送信されたＤＨＣＰ RequestがＤＨＣＰサーバ170において受信されると（ステップ123），使用許可を示すＤＨＣＰ AcknoledgeがＤＨＣＰサーバ170からプリンタ50に送信される（ステップ124）。
【００７４】
ＤＨＣＰサーバ170から送信されたＤＨＣＰ Acknoledgeがプリンタ50において受信される（ステップ106）。
【００７５】
プリンタ50において，スイッチ群54に含まれるシート印刷ボタンが押されると（ステップ107でＹＥＳ），不揮発性メモリ71から読み取られたESS-IDおよびWEPキーを含む無線ＬＡＮ設定情報ならびにＤＨＣＰサーバ170によって割り当てられたＩＰアドレスを含むプリンタ設定情報を格納した二次元バーコードが生成される（ステップ108）。生成された二次元バーコードが記録されたダイレクト・プリント設定シートがプリントされる（ステップ109）。
【００７６】
シート印刷ボタンが押されなければ（ステップ107でＮＯ），電源オンから所定時間経過したかどうかが確認される（ステップ110）。所定時間が経過していると（ステップ110でＹＥＳ），表示器群76などによる表示が行われユーザへの警告など他の処理が行われる。所定時間が経過していなければ（ステップ110でＮＯ），シート印刷ボタンが押されるか所定時間が経過するまでステップ107および109の処理が繰り返される。
【００７７】
このようにして，プリンタ50からダイレクト・プリント設定シート90が得られる。上述の実施例においては，プリンタ50の電源がオンされることに応じてダイレクト・プリント設定シート90がプリントされているが，取得したＩＰアドレスを不揮発性メモリ71などに記憶しておき，新たに取得したＩＰアドレスが，すでに記憶されている以前のＩＰアドレスと異なる場合にダイレクト・プリント設定シート90をプリントするようにしてもよい。プリンタ50の電源がオンされるたびにダイレクト・プリント設定シート90がプリントされてしまうことを未然に防止でき，以前にプリントされたダイレクト・プリント設定シート90を利用して無線ＬＡＮ情報をディジタル・スチル・カメラ１に設定できるようになる。
【００７８】
図９は，プリント・モードに設定されたディジタル・スチル・カメラ１の処理手順を示すフローチャートである。
【００７９】
モード選択ダイアル２によってプリント・モードが選択されると，ディジタル・スチル・カメラ１の表示画面７には，ダイレクト・プリント設定シート90に記録されている二次元バーコード91を撮影する旨が表示される（ステップ131）。
【００８０】
二次元バーコード91を含むようにダイレクト・プリント設定シート90に向かってディジタル・スチル・カメラ１が構えられ，ユーザによってシャッタ・レリーズ・ボタン３が押されると（ステップ132），ダイレクト・プリント設定シート90の撮影処理が行われる（ステップ133）。撮影によって得られたダイレクト・プリント設定シート90を表す画像データはシステム・メモリ34に一時的に記憶される。ダイレクト・プリント設定シート90を表す画像の中から二次元バーコード91を表す画像が読み取られる（ステップ134）。
【００８１】
二次元バーコード91を表す画像の読み取りが成功しなければ（ステップ135でＮＯ），二次元バーコードを再度撮影する旨が表示画面７に表示される（ステップ136）。
【００８２】
二次元バーコード91を表す画像の読み取りが成功すると（ステップ135でＹＥＳ），読み取られた二次元バーコード91の画像が解析され，ESS-ID，WEPキー，ＩＰアドレスなどの無線ＬＡＮ情報が抽出される（ステップ137）。すると，抽出された無線ＬＡＮ情報を用いてディジタル・スチル・カメラ１とアクセス・ポイント装置174との間で無線ＬＡＮ接続（インフラストラクチャ・モードの設定も行われる）が行われる（ステップ138）。すなわち，ディジタル・スチル・カメラ１の無線ＬＡＮインターフェイスに無線ＬＡＮ情報のうち必要な情報が設定される。後述のようにアドホック・モードが設定されている場合には，ディジタル・スチル・カメラ１とプリンタ50との間で無線ＬＡＮ接続が行われるのはいうまでもない。
【００８３】
ディジタル・スチル・カメラ１とアクセス・ポイント装置174との無線ＬＡＮ接続が成功すると（ステップ139でＹＥＳ），ディジタル・スチル・カメラ１とプリンタ50との間でのＴＣＰ（Transmission Control Protocol）／ＩＰ接続が行われる（ステップ140）。
【００８４】
ＴＣＰ／ＩＰ接続が成功すると（ステップ141でＹＥＳ），ダイレクト・プリント処理が開始され，画像データがメモリ・カード44から読み取られ，アクセス・ポイント装置174を介してプリンタ50に送信される（ステップ142）。プリンタ50において，ディジタル・スチル・カメラ１から送信された画像データが受信されると，その受信された画像データによって表される画像がプリントされる。
【００８５】
ディジタル・スチル・カメラ１とアクセス・ポイント装置174との無線ＬＡＮ接続が成功しない（ステップ139でＮＯ），またはディジタル・スチル・カメラ１とプリンタ50とのＴＣＰ／ＩＰ接続が失敗すると（ステップ141でＮＯ），通信失敗した旨が表示画面７に表示される（ステップ143）。ディジタル・スチル・カメラ１とプリンタ50との間でのダイレクト・プリントは中止となる。必要に応じて，再度接続処理が行われることとなろう。
【００８６】
図10は，ディジタル・スチル・カメラ１の表示画面７に表示される画像の一例である。
【００８７】
上述したように，モード選択ダイアル２によってプリント・モードが設定され，ダイレクト・プリント処理に移行すると，メモリ・カード44に記録されている画像データが読み取られる。読み取られた画像データによって表される画像が表示画面７上に表示される。
【００８８】
表示画面７の右側には，駒送り報知領域153，枚数設定報知領域154およびプリント指示報知領域155が表示されている。駒送り報知領域153には，上下左右ボタン８の左矢印または右矢印が押されることにより駒送りが行われる旨が表示されている。左矢印または右矢印が押されることにより表示画面７に表示されている画像の一つ前の駒または一つ後駒の画像が表示画面７に表示される。枚数設定報知領域154には，上下左右ボタン８の上矢印または下矢印が押されることにより枚数を設定できる旨が表示されている。上矢印または下矢印が押されることにより，プリント枚数が増加または減少する。プリント報知領域155には，実行ボタン10が押されることにより，プリント指令が与えられる旨が表示されている。さらに，表示画面７の左下には設定されたプリント枚数を表示する領域151およびプリンタ50の名称の表示領域152が形成されている。
【００８９】
上下左右ボタン８を利用してプリントすべき画像の選択およびプリント枚数の設定が行われ，実行ボタン10が押されることにより，選択された画像を表す画像データがアクセス・ポイント装置174を介してディジタル・スチル・カメラ１からプリンタ50に送信される。ホーム・ネットワークを利用したダイレクト・プリントが行われることとなる。
【００９０】
図11から図13は，他の実施例を示すもので，アドホック・モードでの無線通信によるダイレクト・プリントを示すものである。これらの図において，図１から図９に示すものと同一物には同一符号を付して説明を省略する。
【００９１】
図11を参照して，アドホック・モードにおける無線通信においては，インフラストラクチャ・モードにおける無線通信のようにアクセス・ポイント装置を介してディジタル・スチル・カメラ１とプリンタ50とが通信されるのではなく，直接ディジタル・スチル・カメラ１とプリンタ50とが無線通信する。
【００９２】
図12は，アドホック・モードにおいてプリンタ50によってプリントされるダイレクト・プリント設定シート92の一例である。
【００９３】
アドホック・モードにおいてプリントされるダイレクト・プリント設定シート92もインフラストラクチャ・モードにおいてプリントされるダイレクト・プリント設定シート92と同様に，プリンタ50の名称，無線ＬＡＮ設定情報（無線ＬＡＮモードがアドホック・モードとされている点がシート90と異なる）およびプリンタ設定情報ならびに二次元バーコード93が記録される。二次元バーコード93には，無線ＬＡＮ設定情報およびプリンタ設定情報ならびにプリンタ名称がコード化されて格納されている。
【００９４】
図13は，アドホック・モードにおけるダイレクト・プリント設定シート・プリントを行うプリンタ50の処理手順を示すフローチャートである。
【００９５】
プリンタ50の電源がオンとされると，タイマにより計時が開始される。アドホック・モードにおいては，ESS-ID，WEPキーおよびＩＰアドレスはプリンタ50のＣＰＵ70によって生成される（ステップ161〜163）。
【００９６】
シート印刷ボタンが押されると（ステップ164でＹＥＳ），生成されたESS-ID，WEPキー，ＩＰアドレス等を含む二次元バーコードが生成される（ステップ165）。生成された二次元バーコード93が記録されたダイレクト・プリント設定シート92がプリントされる（ステップ166）。
【００９７】
シート印刷ボタンが押されずに（ステップ164でＮＯ），電源オンから所定時間が経過すると（ステップ167でＹＥＳ），時間経過による警告などが行われる。電源オンから所定時間が経過していなければ（ステップ167でＮＯ），ステップ164および167の処理が繰り返される。
【００９８】
このようにして得られたダイレクト・プリント設定シートを撮影することにより，ディジタル・スチル・カメラに無線ＬＡＮ情報を設定できるのはインフラストラクチャ・モードの場合と同様である。
【００９９】
上述の実施例においては，二次元バーコードに無線ＬＡＮ情報がコード化されて格納されているが二次元バーコードでなくとも一次元バーコードその他のバーコードを利用するようにしてもよい。
【０１００】
上述したダイレクト・プリント設定シートには二次元バーコードのほかに無線ＬＡＮ設定情報およびプリント設定情報のいずれもが記録されているが，いずれか一方が記録されるようにしてもよいし，それらの情報のいずれもが記録されないようにしてもよい（たとえば，二次元バーコードのみをシートに記録する）。
【図面の簡単な説明】
【０１０１】
【図１】ダイレクト・プリント・システムの一例である。
【図２】（Ａ）は，ディジタル・スチル・カメラの斜視図，（Ｂ）は，モード選択ダイアルの一例である。
【図３】ディジタル・スチル・カメラの電気的構成を示すブロック図である。
【図４】モード選択スライド・スイッチを示している。
【図５】プリンタの電気的構成を示すブロック図である。
【図６】ダイレクト・プリント設定シートの一例である。
【図７】二次元バーコードと二次元バーコードに格納されている無線ＬＡＮ情報の内容を示している。
【図８】インフラストラクチャ・モードにおけるダイレクト・プリント設定シート・プリント処理手順を示すフローチャートである。
【図９】プリント・モードにおけるディジタル・スチル・カメラの処理手順を示すフローチャートである。
【図１０】ディジタル・スチル・カメラの表示画面に表示される画像の一例である。
【図１１】ダイレクト・プリント・システムの他の例を示している。
【図１２】ダイレクト・プリント設定シートの他の例を示している。
【図１３】アドホック・モードにおけるダイレクト・プリント設定シート・プリント処理手順を示すフローチャートである。
【符号の説明】
【０１０２】
１  ディジタル・スチル・カメラ
４，51  アンテナ
20  撮像ユニット
26，79  無線ＬＡＮインターフェイス
33，70  ＣＰＵ
44，60  メモリ・カード
50  プリンタ
71  不揮発性メモリ
77  操作スイッチ群
90，92  ダイレクト・プリント設定シート
91，93  二次元バーコード
【図１】
2006001063.tif 000003
【図２】
2006001063.tif 000004
【図３】
2006001063.tif 000005
【図４】
2006001063.tif 000006
【図５】
2006001063.tif 000007
【図６】
2006001063.tif 000008
【図７】
2006001063.tif 000009
【図８】
2006001063.tif 000010
【図９】
2006001063.tif 000011
【図１０】
2006001063.tif 000012
【図１１】
2006001063.tif 000013
【図１２】
2006001063.tif 000014
【図１３】
2006001063.tif 000015